(57)【特許請求の範囲】
【請求項１】
音響変換素子を有した筐体にオリフィスを設け、該筐体の内外に音響媒体を充填した水中音響用受波器において、オリフィスに、そのオリフィスの径に対応した外径で、所望の径の貫通孔を有し、所望の長さとした微細管を挿入固着したことを特徴とする水中音響用受波器。
【請求項２】
請求項１において、微細管を精密ガラス微細管としたことを特徴とする水中音響用受波器。
【請求項３】
音響変換素子を有した筐体にオリフィスを設け、そのオリフィスに、所望の径の貫通孔を有する所望の長さの微細管を、その貫通孔の径に適合した径の細線を貫通孔に挿入した状態で嵌合して接着させ、固定後にその細線を抜き取ることを特徴とする水中音響用受波器の製造方法。
【発明の詳細な説明】
【０００１】
【発明の属する技術分野】
本発明は、静水圧にバランスすると共に受波感度周波数特性を所望域のフィルター特性となるように付与することができる水中音響用受波器とその製造方法に関する。
【０００２】
【従来の技術】
図３は、水中音響用受波器の従来例を示す側面断面図であり、１は金属製の筐体、２は筐体１に取り付けた音響変換素子、３は音響媒体４を筐体１内に流入させて静水圧バランスをとるために筐体１に形成したオリフィス、５は受波感度周波数特性に付与する低域遮断のフィルター特性を変更するピンであり、ピアノ線等の所望径のピンであり、一端を筐体１に固定し、曲折してオリフィスに挿入してある。６は筐体１を収納するゴムブーツであり、このゴムブーツ内に充填されている音響媒体４は上記の如く、オリフィス３から筐体１の内部にも充填している。
【０００３】
このような構成によると、筐体１のオリフィス３に所望径のピンを挿入することにより、受波感度周波数特性に付与される低域遮断のフィルター特性を任意に設定することができることになっている。
【０００４】
【発明が解決しようとする課題】
しかしこのような従来技術によると、オリフィスの穴明けは機械加工で行われ、高精度で加工することが困難であり、所望の正確な径が得にくく、要求精度を満足することができない。そこで、このような不正確な径の中に所望径のピンを挿入しても、所望する正確な通孔の断面積とすることができないという問題がある。
【０００５】
また、低域遮断のフィルター特性は、オリフィスの断面積ばかりでなく、その長さにも影響されるが、その長さが筐体の壁厚で決定されてしまうという問題がある。また、収納スペース等の要因によって受波器の寸法、すなわちオリフィスの長さや筐体の内容積が制限されている場合、低域遮断周波数を低くするためにはオリフィスの断面積を小さくしなければならない。例えば直径０．１ｍｍ程度とすると、その長さとの関係から製造が非常に困難となる。
【０００６】
さらに、ピンは一端を筐体の側壁に固定し、曲折して他方からオリフィスの挿入するために、組み立てが難しいという問題がある。そこで本発明は、所望する正確な断面積と長さのオリフィスを形成することを目的とする。
【０００７】
【課題を解決するための手段】
そこで本発明は、音響変換素子を有した筐体にオリフィスを設け、該筐体の内外に音響媒体を充填した水中音響用受波器において、オリフィスに、そのオリフィスの径に対応した外径で、所望の径の貫通孔を有し、所望の長さとした微細管を挿入固着したことを特徴とする。またその製造方法として、音響変換素子を有した筐体にオリフィスを設け、そのオリフィスに、所望の径の貫通孔を有する所望の長さのガラス微細管を、その貫通孔の径に適合した径の細線を貫通孔に挿入した状態で嵌合して接着させ、固定後にその細線を抜き取ることを特徴とする。
【０００８】
【発明の実施の形態】
以下に本発明の実施の形態例を図面を用いて説明する。
第１実施の形態例以下の説明において、上記従来技術で説明した同様の部位については、同一の符号を用いて説明する。
【０００９】
図１は、水中音響用受波器を示す側面断面図であり、図において、１は金属製の筐体、２は筐体１に取り付けた音響変換素子、３は音響媒体４を筐体１内に流入させて静水圧バランスをとるために筐体１に形成したオリフィスである。６は筐体１を収納するゴムブーツであり、このゴムブーツ内に充填されている音響媒体４は筐体１の内部にも充填しており、これらは上記従来技術と同様である。
【００１０】
上記オリフィス３には、このオリフィス３の内径に対応した所望の太さの精密ガラス製の微細管７を嵌めて接着剤等で固定してある。この微細管７は高精度の所望径の貫通孔８を有し、所望の長さとしてある。このような構成によると、静水圧にバランスする機能を有することは当然であるが、微細管７によってオリフィス３の断面積および長さを所望の値に正確に定めることができ、これによって、低域遮断のフィルター特性を定めることができる。
【００１１】
また、貫通孔８の径および長さを筐体１のオリフィス３の径に関係なく正確に定めることができるために、受波感度周波数特性に付与される低域遮断のフィルター特性の変更を正確にしかも容易に行うことができる。
第２実施の形態例上記第１実施の形態例は、一つのオリフィスを有する受波器であったが、一つの筐体で二つのオリフィスを設けて低域周波数の遮断と高域周波数の遮断を行う受波器がある。
【００１２】
このような受波器においても実施が可能であり、図２は断面側面図であり、図において、１は金属製の筐体、２は筐体１に取り付けた音響変換素子、９は外筐体であり、各音響変換素子２の外側にも音響媒体流入室１０、１１を形成する。３は音響媒体４を筐体１内に流入させて静水圧バランスをとるために筐体１に形成したオリフィスである。
【００１３】
１２は音響媒体４を音響媒体流入室１０に流入させて静水圧バランスをとるために筐体１に形成したオリフィスである。６は筐体１を収納するゴムブーツであり、このゴムブーツ内に充填されている音響媒体４は筐体１および音響媒体流入室の内部にも充填している。上記オリフィス３、オリフィス１２の両方もしくはどちらか一方に（本実施の形態例ではオリフィス１２のみ。）そのオリフィスの径に対応した所望の太さの精密ガラス製の微細管７が接着剤等で固定して嵌めてある。
【００１４】
この微細管７は高精度の所望径の貫通孔８を有し、所望の長さとしてある。このような構成によると、オリフィス１２は、静水圧にバランスする機能を有することは当然であるが、微細管７によってオリフィス１２の断面積および長さを所望の値に正確に定めることができ、これによって、低域遮断のフィルター特性を定めることができる。
【００１５】
また、オリフィス３により、高域遮断のフィルター特性を定めることができる。したがって、１つの受波器で低域周波数の遮断と高域周波数の遮断を行って一定域の周波数の受波器を構成することができる。また、上記両実施の形態例において、製造に際しては、組み立て時に、微細管７の貫通孔８に、その径に適合した径の金属等の細線を通しておくことにより、オリフィス３もしくはオリフィス１２に嵌めて接着剤で接着固定する際にその細線を支持することによりオリフィスの中心に微細管７の位置決めと固定がし易く、しかも、組み立て後に細線を引き抜くことにより接着剤によって貫通孔８を目詰まりさせることがない。
【００１６】
【発明の効果】
以上詳細に説明した本発明によると、筐体に形成したオリフィスに、そのオリフィスの径に対応した外径で、所望の径の貫通孔を有し、所望の長さとしたガラス微細管を挿入固着したことにより、筐体内外を連通させるオリフィスの径および長さを所望の値を正確に設定することができると共に製造を容易にすることができる効果を有する。
【００１７】
また、微細管を精密ガラス製とすることによって、高精度の貫通孔を形成することができ、それによって、フィルター特性の精度を向上させることができる効果を有する。
【図面の簡単な説明】
【図１】第１実施の形態例を示す側面断面図
【図２】第２実施の形態例を示す側面断面図
【図３】従来例を示す側面断面図
【符号の説明】
１  筐体
２  音響変換素子
３  オリフィス
４  音響媒体
６  ゴムブーツ
７  微細管
８  貫通孔
９  外筐体
１０、１１  音響媒体流入室
１２  オリフィス
【図１】
0004193349.tif 000002
【図２】
0004193349.tif 000003
【図３】
0004193349.tif 000004